(57)【要約】複数の物品を収容するカートン。本カートンは、少なくとも部分的にカートンの内側の周囲に延在する複数のパネルを備える。複数のパネルは、トップパネル、ボトムパネル、第１のサイドパネル及び第２のサイドパネルを含む。少なくとも２つの端部フラップは、複数のパネルのそれぞれのパネルにそれぞれ折り曲げ可能に取り付けられることができる。少なくとも２つの端部フラップは、互いに対して少なくとも部分的に重なり、それにより、カートンの閉鎖端部を少なくとも部分的に形成する。カートンの閉鎖端部は、ボトムパネルから延設する概ね垂直な部分とトップパネルから概ね垂直な部分まで延設する斜め部分とを備えることができる。ディスペンサーは少なくともカートンの閉鎖端部に延設することができる。【選択図】図１
2015524373.tif 000002
【特許請求の範囲】
【請求項１】
少なくとも部分的にカートンの内側の周囲に延在し、トップパネルとボトムパネルと第１のサイドパネルと第２のサイドパネルとを備える複数のパネルと、
その複数のパネルのそれぞれのパネルにそれぞれ折り曲げ可能に取り付けられており、互いに対して少なくとも部分的に重なることで、少なくとも部分的に前記カートンの閉鎖端部を形成する少なくとも２つの端部フラップであって、前記カートンの前記閉鎖端部は前記ボトムパネルから延設する概ね垂直な部分と前記トップパネルから前記概ね垂直な部分まで延設する傾斜部分とを有する少なくとも２つの端部フラップと、
少なくとも前記カートンの前記閉鎖端部に延設するディスペンサーと、
を備える複数の物品を収容するカートン。
【請求項２】
前記カートンの前記閉鎖端部の前記傾斜部分は少なくとも部分的に前記ボトムパネルの上に延設する請求項１に記載のカートン。
【請求項３】
前記少なくとも２つの端部フラップは前記ボトムパネルに折り曲げ可能に接続されているボトム端部フラップを備え、そのボトム端部フラップは遠位部分に折り曲げ可能に接続されている近位部分を備え、その近位部分は前記カートンの前記閉鎖端部の前記概ね垂直な部分を少なくとも部分的に形成する請求項１に記載のカートン。
【請求項４】
前記少なくとも２つの端部フラップは前記トップパネルに折り曲げ可能に接続されているトップ端部フラップを更に備え、そのトップ端部フラップは前記ボトム端部フラップの前記遠位部分に少なくとも部分的に重なり、前記トップ端部フラップと前記ボトム端部フラップの前記遠位部分とは前記カートンの前記閉鎖端部の前記傾斜部分を少なくとも部分的に形成する請求項３に記載のカートン。
【請求項５】
前記少なくとも２つの端部フラップは、それぞれが前記第１のサイドパネルに折り曲げ可能に接続されている第１の主端部フラップ及び第１の副端部フラップと、それぞれが前記第２のサイドパネルに折り曲げ可能に接続されている第２の主端部フラップ及び第２の副端部フラップとを更に備え、前記ボトム端部フラップの前記近位部分は、前記第１の副端部フラップ及び前記第２の副端部フラップに少なくとも部分的に重なり、前記カートンの前記閉鎖端部の前記概ね垂直な部分を少なくとも部分的に形成し、前記トップ端部フラップと前記ボトム端部フラップの前記遠位部分とは、前記第１の主端部フラップと前記第２の主端部フラップとに少なくとも部分的に重なり、前記カートンの前記閉鎖端部の前記傾斜部分を少なくとも部分的に形成する請求項４に記載のカートン。
【請求項６】
前記ディスペンサーはディスペンサーパネルを備え、そのディスペンサーパネルの少なくとも第１の部分は前記トップ端部フラップの少なくとも一部を備え、前記ディスペンサーパネルの少なくとも第２の部分は前記ボトム端部フラップの前記遠位部分の少なくとも一部を備え、前記ディスペンサーパネルの少なくとも第３の部分は前記第１の主端部フラップの少なくとも一部を備え、前記ディスペンサーパネルの少なくとも第４の部分は前記第２の主端部フラップの少なくとも一部を備え、前記ディスペンサーパネルの前記第１の部分と前記第２の部分と前記第３の部分と前記第４の部分とは、少なくとも部分的に重なり、前記ディスペンサーパネルを少なくとも部分的に形成するカートン。
【請求項７】
前記ディスペンサーパネルの前記第３の部分は前記第１のサイドパネルの少なくとも一部を更に備え、前記ディスペンサーパネルの前記第４の部分は前記第２のサイドパネルの少なくとも一部を更に備える請求項６に記載のカートン。
【請求項８】
前記ディスペンサーは、前記トップ端部フラップにおいて前記ディスペンサーパネルの前記第１の部分に折り曲げ可能に接続されているアクセスフラップと、前記ディスペンサーパネルの前記第３の部分に隣接する前記第１の主端部フラップの第１の切抜き部と、前記ディスペンサーパネルの前記第４の部分に隣接する前記第２の主端部フラップの第２の切抜き部とを更に備え、前記アクセスフラップは前記第１の切抜き部と前記第２の切抜き部とに概ね位置合わせされる請求項６に記載のカートン。
【請求項９】
前記少なくとも２つの端部フラップは、それぞれが前記第１のサイドパネルと前記第２のサイドパネルとのうちの少なくとも一方に折り曲げ可能に接続されている少なくとも１つの主端部フラップと少なくとも１つの副端部フラップとを備え、前記少なくとも１つの主端部フラップは前記カートンの前記閉鎖端部の前記傾斜部分を少なくとも部分的に形成し、前記少なくとも１つの副端部フラップは前記カートンの前記閉鎖端部の前記概ね垂直な部分を少なくとも部分的に形成する請求項１に記載のカートン。
【請求項１０】
前記少なくとも２つの端部フラップはそれぞれ、折り線に沿って、前記それぞれのパネルに折り曲げ可能に取り付けられており、前記少なくとも１つの主端部フラップは、前記折り線の斜め方向セグメントに沿って、前記第１のサイドパネルと前記第２のサイドパネルとのうちの少なくとも一方に折り曲げ可能に接続されており、前記少なくとも１つの副端部フラップは、前記折り線の横方向セグメントに沿って、前記第１のサイドパネルと前記第２のサイドパネルとのうちの少なくとも一方に折り曲げ可能に接続されている請求項９に記載のカートン。
【請求項１１】
前記少なくとも１つの主端部フラップは、前記第１のサイドパネルに折り曲げ可能に接続されている第１の主端部フラップと、前記第２のサイドパネルに折り曲げ可能に接続されている第２の主端部フラップとを備え、前記少なくとも１つの副端部フラップは、前記第１のサイドパネルに折り曲げ可能に接続されている第１の副端部フラップと、前記第２のサイドパネルに折り曲げ可能に接続されている第２の副端部フラップとを備え、前記第１の主端部フラップと前記第２の主端部フラップとは、少なくとも部分的に重なり、前記カートンの前記閉鎖端部の前記傾斜部分を少なくとも部分的に形成し、前記第１の副端部フラップと前記第２の副端部フラップとは、少なくとも部分的に重なり、前記カートンの前記閉鎖端部の前記概ね垂直な部分を少なくとも部分的に形成する請求項９に記載のカートン。
【請求項１２】
前記少なくとも２つの端部フラップは少なくとも２つの第１の端部フラップであり、前記カートンの前記閉鎖端部は前記カートンの第１の閉鎖端部であり、前記概ね垂直な部分は第１の概ね垂直な部分であり、前記傾斜部分は第１の傾斜部分であり、前記カートンは、前記複数のパネルのうちのそれぞれのパネルに折り曲げ可能に取り付けられている少なくとも２つの第２の端部フラップを更に備え、その少なくとも２つの第２の端部フラップは互いに対して少なくとも部分的に重なることで、前記カートンの第２の閉鎖端部を少なくとも部分的に形成し、前記カートンの前記第２の閉鎖端部は前記トップパネルから延設する第２の概ね垂直な部分と前記ボトムパネルから前記第２の概ね垂直な部分まで延設する第２の傾斜部分とを有する請求項１に記載のカートン。
【請求項１３】
前記カートンの前記第１の閉鎖端部の前記第１の傾斜部分は前記ボトムパネルの上に少なくとも部分的に延設し、前記カートンの前記第２の閉鎖端部の前記第２の傾斜部分は前記トップパネルの下に少なくとも部分的に延設する請求項１２に記載のカートン。
【請求項１４】
前記少なくとも２つの第２の端部フラップは前記トップパネルに折り曲げ可能に接続されているトップ端部フラップを備え、そのトップ端部フラップは遠位部分に折り曲げ可能に接続されている近位部分を有し、その近位部分は、前記カートンの前記第２の閉鎖端部の前記第２の概ね垂直な部分を少なくとも部分的に形成する請求項１２に記載のカートン。
【請求項１５】
前記少なくとも２つの第２の端部フラップは前記ボトムパネルに折り曲げ可能に接続されているボトム端部フラップを更に備え、そのボトム端部フラップと前記トップ端部フラップの前記遠位部分とは、少なくとも部分的に重なり、前記カートンの前記第２の閉鎖端部の前記第２の傾斜部分を少なくとも部分的に形成する請求項１４に記載のカートン。
【請求項１６】
前記少なくとも２つの第２の端部フラップは、それぞれが前記第１のサイドパネルに折り曲げ可能に接続されている第１の主端部フラップ及び第１の副端部フラップと、それぞれが前記第２のサイドパネルに折り曲げ可能に接続されている第２の主端部フラップ及び第２の副端部フラップとを更に備え、前記トップ端部フラップの前記近位部分は、前記第１の副端部フラップと第２の副端部フラップとに少なくとも部分的に重なり、前記カートンの前記第２の閉鎖端部の前記第２の概ね垂直な部分を少なくとも部分的に形成し、前記ボトム端部フラップと前記トップ端部フラップの前記遠位部分とは、前記第１の主端部フラップと前記第２の主端部フラップとに少なくとも部分的に重なり、前記カートンの前記第２の閉鎖端部の前記第２の傾斜部分を少なくとも部分的に形成する請求項１５に記載のカートン。
【請求項１７】
前記少なくとも２つの第２の端部フラップは、それぞれが前記第１のサイドパネルと前記第２のサイドパネルとのうちの少なくとも一方に折り曲げ可能に接続されている少なくとも１つの主端部フラップと少なくとも１つの副端部フラップとを備え、前記少なくとも１つの主端部フラップは前記カートンの前記第２の閉鎖端部の前記第２の傾斜部分を少なくとも部分的に形成し、前記少なくとも１つの副端部フラップは前記カートンの前記第２の閉鎖端部の前記第２の概ね垂直な部分を少なくとも部分的に形成する請求項１２に記載のカートン。
【請求項１８】
前記カートンの前記第２の閉鎖端部の前記第２の傾斜部分は前記複数の物品のうちの少なくとも一部の物品を前記カートンの前記第１の閉鎖端部側へ付勢する請求項１２に記載のカートン。
【請求項１９】
前記複数の物品の各物品は特徴寸法を有し、前記カートンの前記閉鎖端部の前記概ね垂直な部分は前記特徴直径よりも低い高さを有する請求項１に記載のカートン。
【請求項２０】
少なくとも前記トップパネルにハンドルを更に備える請求項１に記載のカートン。
【請求項２１】
トップパネルとボトムパネルと第１のサイドパネルと第２のサイドパネルとを備える複数のパネルと、
前記複数のパネルのそれぞれのパネルにそれぞれ折り曲げ可能に取り付けられており、互いに対して少なくとも部分的に重なることで、ブランクから形成されるカートンの閉鎖端部を少なくとも部分的に形成する少なくとも２つの端部フラップであって、前記カートンが前記ブランクから形成される際、前記カートンの前記閉鎖端部は前記ボトムパネルから延設する概ね垂直な部分と前記トップパネルから前記概ね垂直な部分まで延設する傾斜部分とを有する少なくとも２つの端部フラップと、
前記カートンが前記ブランクから形成される際、少なくとも前記カートンの前記閉鎖端部に延設するディスペンサーを形成するディスペンサー機能部と、
を備える複数の物品を収容するカートンを形成するブランク。
【請求項２２】
前記少なくとも２つの端部フラップは折り線に沿って前記複数のパネルのそれぞれのパネルにそれぞれ折り曲げ可能に取り付けられており、前記折り線は斜め方向セグメントによって第２の横方向セグメントに接続されている少なくとも第１の横方向セグメントを備える請求項２１に記載のブランク。
【請求項２３】
前記少なくとも２つの端部フラップは前記ボトムパネルに折り曲げ可能に接続されているボトム端部フラップを備え、そのボトム端部フラップは遠位部分に折り曲げ可能に接続されている近位部分を備え、前記カートンが前記ブランクから形成される際、前記近位部分は前記閉鎖端部の前記概ね垂直な部分を少なくとも部分的に形成する請求項２１に記載のブランク。
【請求項２４】
前記少なくとも２つの端部フラップは前記トップパネルに折り曲げ可能に接続されているトップ端部フラップを更に備え、前記カートンが前記ブランクから形成される際、前記トップ端部フラップは前記ボトム端部フラップの前記遠位部分に少なくとも部分的に重なり、前記閉鎖端部の前記斜め部分を少なくとも部分的に形成する請求項２３に記載のブランク。
【請求項２５】
前記少なくとも２つの端部フラップは、折り線に沿って前記複数のパネルのそれぞれのパネルにそれぞれ折り曲げ可能に取り付けられており、前記ボトム端部フラップは、前記折り線の第１の横方向セグメントに沿って前記ボトムパネルに折り曲げ可能に接続されており、前記トップ端部フラップは、前記折り線の第２の横方向セグメントに沿って前記トップパネルに折り曲げ可能に接続されており、前記トップ端部フラップの自由縁は、前記折り線の前記第１の横方向セグメントと概ね位置合わせされている請求項２４に記載のブランク。
【請求項２６】
前記少なくとも２つの端部フラップは、それぞれが前記第１のサイドパネルに折り曲げ可能に接続されている第１の主端部フラップ及び第１の副端部フラップと、それぞれが前記第２のサイドパネルに折り曲げ可能に接続されている第２の主端部フラップ及び第２の副端部フラップとを更に備え、前記カートンが前記ブランクから形成される際、前記ボトム端部フラップの前記近位部分は、前記第１の副端部フラップと前記第２の副端部フラップとに少なくとも部分的に重なり、前記閉鎖端部の前記概ね垂直な部分を少なくとも部分的に形成し、前記カートンが前記ブランクから形成される際、前記トップ端部フラップと前記ボトム端部フラップの前記遠位部分とは、前記第１の主端部フラップ及び前記第２の主端部フラップに少なくとも部分的に重なり、前記閉鎖端部の前記斜め部分を少なくとも部分的に形成する請求項２４に記載のブランク。
【請求項２７】
前記ディスペンサー機能部はディスペンサーパネルを備え、そのディスペンサーパネルの少なくとも第１の部分は前記トップ端部フラップの少なくとも一部を備え、前記ディスペンサーパネルの少なくとも第２の部分は前記ボトム端部フラップの前記遠位部分の少なくとも一部を備え、前記ディスペンサーパネルの少なくとも第３の部分は前記第１の主端部フラップの少なくとも一部を備え、前記ディスペンサーパネルの少なくとも第４の部分は前記第２の主端部フラップの少なくとも一部を備え、前記カートンが前記ブランクから形成される際、前記ディスペンサーパネルの前記第１の部分と前記第２の部分と前記第３の部分と前記第４の部分とは、少なくとも部分的に重なり、前記ディスペンサーパネルを少なくとも部分的に形成する請求項２６に記載のブランク。
【請求項２８】
前記ディスペンサーパネルの前記第３の部分は前記第１のサイドパネルの少なくとも一部を更に備え、前記ディスペンサーパネルの前記第４の部分は前記第２のサイドパネルの少なくとも一部を更に備える請求項２７に記載のブランク。
【請求項２９】
前記ディスペンサーは、前記トップ端部フラップにおいて前記ディスペンサーパネルの前記第１の部分に折り曲げ可能に接続されているアクセスフラップと、前記ディスペンサーパネルの前記第３の部分に隣接する前記第１の主端部フラップの第１の切抜き部と、前記ディスペンサーパネルの前記第４の部分に隣接する前記第２の主端部フラップの第２の切抜き部とを更に備え、前記カートンが前記ブランクから形成される際、前記アクセスフラップは前記第１の切抜き部と前記第２の切抜き部とに概ね位置合わせされる請求項２７に記載のブランク。
【請求項３０】
前記少なくとも２つの端部フラップは、それぞれが前記第１のサイドパネルと前記第２のサイドパネルとのうちの少なくとも一方に折り曲げ可能に接続されている少なくとも１つの主端部フラッと少なくとも１つの副端部フラップとを備え、前記カートンが前記ブランクから形成される際、前記少なくとも１つの主端部フラップは前記閉鎖端部の前記斜め部分を少なくとも部分的に形成し、前記カートンが前記ブランクから形成される際、前記少なくとも１つの副端部フラップは前記閉鎖端部の前記概ね垂直な部分を少なくとも部分的に形成する請求項２１に記載のブランク。
【請求項３１】
前記複数の物品の各物品は特徴寸法を有し、前記カートンが前記ブランクから形成される際、前記少なくとも１つの副端部フラップが前記特徴直径よりも狭い幅を有するため、前記閉鎖端部の前記概ね垂直な部分は前記特徴直径よりも低い高さを有する請求項３０に記載のブランク。
【請求項３２】
前記少なくとも２つの端部フラップのそれぞれは、折り線に沿って前記それぞれのパネルに折り曲げ可能に取り付けられており、前記少なくとも１つの主端部フラップは、前記折り線の斜め方向セグメントに沿って前記第１のサイドパネル及び前記第２のサイドパネルのうちの少なくとも一方に折り曲げ可能に接続されており、前記少なくとも１つの副端部フラップは、前記折り線の横方向セグメントに沿って前記第１のサイドパネルと前記第２のサイドパネルとのうちの少なくとも一方に折り曲げ可能に接続されている請求項３０に記載のブランク。
【請求項３３】
前記折り線の横方向セグメントは第１の横方向セグメントであり、前記少なくとも２つの端部フラップは、前記折り線の前記第１の横方向セグメントに沿って前記ボトムパネルに折り曲げ可能に接続されているボトム端部フラップと、前記折り線の第２の横方向セグメントに沿って前記トップパネルに折り曲げ可能に接続されているトップ端部フラップとを更に備え、前記トップ端部フラップの自由縁は前記折り線の前記第１の横方向セグメントと概ね位置合わせされている請求項３２に記載のブランク。
【請求項３４】
前記少なくとも１つの主端部フラップは、前記第１のサイドパネルに折り曲げ可能に接続されている第１の主端部フラップと、前記第２のサイドパネルに折り曲げ可能に接続されている第２の主端部フラップとを備え、前記少なくとも１つの副端部フラップは、前記第１のサイドパネルに折り曲げ可能に接続されている第１の副端部フラップと、前記第２のサイドパネルに折り曲げ可能に接続されている第２の副端部フラップとを備え、前記カートンが前記ブランクから形成される際、前記第１の主端部フラップと前記第２の主端部フラップとは、少なくとも部分的に重なり、前記閉鎖端部の前記斜め部分を少なくとも部分的に形成し、前記カートンが前記ブランクから形成される際、前記第１の副端部フラップと前記第２の副端部フラップとは、少なくとも部分的に重なり、前記閉鎖端部の前記概ね垂直な部分を少なくとも部分的に形成する請求項３０に記載のブランク。
【請求項３５】
前記少なくとも２つの端部フラップは少なくとも２つの第１の端部フラップであり、前記閉鎖端部は第１の閉鎖端部であり、前記概ね垂直な部分は第１の概ね垂直な部分であり、前記斜め部分は第１の斜め部分であり、前記ブランクは、前記複数のパネルのうちのそれぞれのパネルに折り曲げ可能に取り付けられている少なくとも２つの第２の端部フラップを更に備え、前記カートンが前記ブランクから形成される際、前記少なくとも２つの第２の端部フラップは、互いに対して少なくとも部分的に重なることで、第２の閉鎖端部を少なくとも部分的に形成し、前記カートンが前記ブランクから形成される際、前記第２の閉鎖端部は、前記トップパネルから延設する第２の概ね垂直な部分と、前記ボトムパネルから前記第２の概ね垂直な部分まで延設する第２の斜め部分とを備える請求項２１に記載のブランク。
【請求項３６】
前記少なくとも２つの第１の端部フラップは、第１の折り線に沿って前記複数のパネルのそれぞれのパネルにそれぞれ折り曲げ可能に取り付けられており、前記第１の折り線は、第１の斜め方向セグメントによって第２の横方向セグメントに接続されている少なくとも第１の横方向セグメントを備え、前記少なくとも２つの第２の端部フラップは、第２の折り線に沿って前記複数のパネルのそれぞれのパネルにそれぞれ折り曲げ可能に取り付けられており、前記第２の折り線は、第２の斜め方向セグメントによって第４の横方向セグメントに接続されている少なくとも第３の横方向セグメントを備える請求項３５に記載のブランク。
【請求項３７】
前記少なくとも２つの第２の端部フラップは前記トップパネルに折り曲げ可能に接続されているトップ端部フラップを備え、そのトップ端部フラップは遠位部分に折り曲げ可能に接続されている近位部分を備え、前記カートンが前記ブランクから形成される際、前記近位部分は前記第２の閉鎖端部の前記第２の概ね垂直な部分を少なくとも部分的に形成する請求項３５に記載のブランク。
【請求項３８】
前記少なくとも２つの第２の端部フラップは前記ボトムパネルに折り曲げ可能に接続されているボトム端部フラップを更に備え、前記カートンが前記ブランクから形成される際、そのボトム端部フラップと前記トップ端部フラップの前記遠位部分とは、少なくとも部分的に重なり、前記第２の閉鎖端部の前記第２の斜め部分を少なくとも部分的に形成する請求項３７に記載のブランク。
【請求項３９】
前記少なくとも２つの第２の端部フラップは折り線に沿って前記複数のパネルのそれぞれのパネルにそれぞれ折り曲げ可能に取り付けられており、前記ボトム端部フラップは前記折り線の第１の横方向セグメントに沿って前記ボトムパネルに折り曲げ可能に接続されており、前記トップ端部フラップは前記折り線の第２の横方向セグメントに沿って前記トップパネルに折り曲げ可能に接続されており、前記ボトム端部フラップの自由縁は前記折り線の前記第２の横方向セグメントと概ね位置合わせされている請求項３８に記載のブランク。
【請求項４０】
前記少なくとも２つの第２の端部フラップは、それぞれが前記第１のサイドパネルに折り曲げ可能に接続されている第１の主端部フラップ及び第１の副端部フラップと、それぞれが前記第２のサイドパネルに折り曲げ可能に接続されている第２の主端部フラップ及び第２の副端部フラップとを更に備え、前記カートンが前記ブランクから形成される際、前記トップ端部フラップの前記近位部分は、前記第１の副端部フラップと前記第２の副端部フラップとに少なくとも部分的に重なり、前記第２の閉鎖端部の前記第２の概ね垂直な部分を少なくとも部分的に形成し、前記カートンが前記ブランクから形成される際、前記ボトム端部フラップと前記トップ端部フラップの前記遠位部分とは、前記第１の主端部フラップ及び前記第２の主端部フラップに少なくとも部分的に重なり、前記第２の閉鎖端部の前記第２の斜め部分を少なくとも部分的に形成する請求項３８に記載のブランク。
【請求項４１】
前記少なくとも２つの第２の端部フラップは、それぞれが前記第１のサイドパネルと前記第２のサイドパネルとのうちの少なくとも一方に折り曲げ可能に接続している少なくとも１つの主端部フラップと少なくとも１つの副端部フラップとを備え、前記カートンが前記ブランクから形成される際、前記少なくとも１つの主端部フラップは前記第２の閉鎖端部の前記第２の斜め部分を少なくとも部分的に形成し、前記カートンが前記ブランクから形成される際、前記少なくとも１つの副端部フラップは前記第２の閉鎖端部の前記第２の概ね垂直な部分を少なくとも部分的に形成する請求項３５に記載のブランク。
【請求項４２】
前記カートンが前記ブランクから形成される際、ハンドルを少なくとも部分的に形成するハンドル機能部を少なくとも前記トップパネルに更に備える請求項２１に記載のブランク。
【請求項４３】
トップパネルとボトムパネルと第１のサイドパネルと第２のサイドパネルとを有する複数のパネルと、その複数のパネルのそれぞれのパネルにそれぞれ折り曲げ可能に取り付けられている少なくとも２つの端部フラップと、その少なくとも２つの端部フラップのディスペンサー機能部とを備えるブランクを得ることと、
端部が開いたスリーブを形成することを含む、前記複数のパネルによって少なくとも部分的に画定されるカートンの内側を形成することと、
前記ボトムパネルから延設する概ね垂直な部分を形成することと、前記トップパネルから前記概ね垂直な部分まで延設する斜め部分を形成することとを含む、前記少なくとも２つの端部フラップを互いに対して少なくとも部分的に重ねて前記カートンの閉鎖端部を少なくとも部分的に形成することと、
前記ディスペンサー機能部から前記カートンの前記閉鎖端部にディスペンサーを形成することと、
を含む複数の物品を収容するカートンを形成する方法。
【請求項４４】
前記カートンの前記閉鎖端部の前記斜め部分を形成することは、前記ボトムパネルの上に延設するように前記斜め部分を位置決めすることを含む請求項４３に記載の方法。
【請求項４５】
前記少なくとも２つの端部フラップは、前記トップパネルに折り曲げ可能に接続されているトップ端部フラップと前記ボトムパネルに折り曲げ可能に接続されているボトム端部フラップとを備え、そのボトム端部フラップは、遠位部分に折り曲げ可能に接続されている近位部分を備え、
前記閉鎖端部の前記概ね垂直な部分を形成することは、前記ボトム端部フラップの前記近位部分を前記閉鎖端部に位置決めすることを含み、
前記閉鎖端部の前記斜め部分を形成することは、前記トップ端部フラップと前記ボトム端部フラップの前記遠位部分とを少なくとも部分的に重ねることを含む請求項４３に記載の方法。
【請求項４６】
前記少なくとも２つの端部フラップは、それぞれが前記第１のサイドパネルに折り曲げ可能に接続されている第１の主端部フラップ及び第１の副端部フラップと、それぞれが前記第２のサイドパネルに折り曲げ可能に接続されている第２の主端部フラップ及び第２の副端部フラップとを更に備え、
前記閉鎖端部の前記概ね垂直な部分を形成することは、前記ボトム端部フラップの前記近位部分と前記第１の副端部フラップと前記第２の副端部フラップとを少なくとも部分的に重ねることを含み、
前記閉鎖端部の前記斜め部分を形成することは、前記トップ端部フラップと前記ボトム端部フラップの前記遠位部分と前記第１の主端部フラップと前記第２の主端部フラップとを少なくとも部分的に重ねることを含む請求項４５に記載の方法。
【請求項４７】
前記少なくとも２つの端部フラップは、それぞれが前記第１のサイドパネル及び前記第２のサイドパネルのうちの少なくとも一方に折り曲げ可能に接続されている少なくとも１つの主端部フラップと少なくとも１つの副端部フラップとを備え、
前記閉鎖端部を形成することは、前記閉鎖端部の前記斜め部分を少なくとも部分的に形成するように前記少なくとも１つの主端部フラップを位置決めすることと、前記閉鎖端部の前記概ね垂直な部分を少なくとも部分的に形成するように前記少なくとも１つの副端部フラップを位置決めすることとを含む請求項４３に記載の方法。
【請求項４８】
前記少なくとも２つの端部フラップは少なくとも２つの第１の端部フラップであり、前記カートンの前記閉鎖端部は前記カートンの第１の閉鎖端部であり、前記概ね垂直な部分は第１の概ね垂直な部分であり、前記斜め部分は第１の斜め部分であり、
前記ブランクは、前記複数のパネルのそれぞれのパネルに折り曲げ可能に取り付けられている少なくとも２つの第２の端部フラップを更に備え、
前記方法は、前記少なくとも２つの第２の端部フラップを互いに対して少なくとも部分的に重ねて、前記カートンの第２の閉鎖端部を少なくとも部分的に形成することを更に含み、その第２の閉鎖端部を形成することは、前記トップパネルから延設する第２の概ね垂直な部分を形成することと、前記ボトムパネルから前記第２の概ね垂直な部分まで延設する第２の斜め部分を形成することとを含む請求項４３に記載の方法。
【請求項４９】
前記カートンの前記第１の閉鎖端部の前記第１の斜め部分を形成することは、前記ボトムパネルの上に少なくとも部分的に延設するように前記第１の斜め部分を位置決めすることを含み、前記カートンの前記第２の閉鎖端部の前記第２の斜め部分を形成することは、前記トップパネルの下に少なくとも部分的に延設するように前記第２の斜め部分を位置決めすることを含む請求項４８に記載の方法。
【請求項５０】
前記複数の物品を前記カートンの内側に詰め込むことを更に含み、前記カートンの前記第２の閉鎖端部の前記第２の斜め部分により、前記複数の物品のうちの少なくとも一部の物品が前記カートンの前記第１の閉鎖端部側へ付勢される請求項４８に記載の方法。
【発明の詳細な説明】
【技術分野】
【０００１】
本開示は、概して、物品を保持して分配するカートンに関する。
【背景技術】
【０００２】
［関連出願の相互参照］
本願は、２０１２年８月１０日に出願された米国仮特許出願第６１／７４２４４２号の優先権を主張する。
【０００３】
［参照による援用］
２０１２年８月１０日に出願された米国仮特許出願第６１／７４２４４２号の開示は、その全体がここに提示されているかのように、全ての目的でここに参照されることで緩用される。
【発明の概要】
【０００４】
本開示の１つの態様は、概して、複数の物品を収容するカートンに関する。カートンは、少なくとも部分的にカートンの内側の周囲に延在する複数のパネルを備える。複数のパネルは、トップパネル、ボトムパネル、第１のサイドパネル及び第２のサイドパネルを備える。少なくとも２つの端部フラップを、複数のパネルのそれぞれのパネルにそれぞれ折り曲げ可能に取り付けることができる。少なくとも２つの端部フラップは、互いに対して少なくとも部分的に重なり、それにより、カートンの閉鎖端部を少なくとも部分的に形成する。カートンの閉鎖端部は、ボトムパネルから延設する概ね垂直な部分と、トップパネルから概ね垂直な部分まで延設する傾斜部分とを有することができる。ディスペンサーが、少なくともカートンの閉鎖端部に延設することができる。
【０００５】
別の態様では、本開示は、概して、複数の物品を収容するカートンを形成するブランクに関する。ブランクは、トップパネル、ボトムパネル、第１のサイドパネル及び第２のサイドパネルを有する複数のパネルを備える。少なくとも２つの端部フラップは、複数のパネルのそれぞれのパネルにそれぞれに折り曲げ可能に取り付けることができる。少なくとも２つの端部フラップは、互いに対して少なくとも部分的に重なるものであり、それにより、ブランクから形成されるカートンの閉鎖端部を少なくとも部分的に形成する。カートンがブランクから形成されると、カートンの閉鎖端部は、ボトムパネルから延設する概ね垂直な部分と、トップパネルから概ね垂直な部分まで延設する傾斜部分とを有することができる。カートンがブランクから形成されると、ディスペンサーを形成するディスペンサー機能部が少なくともカートンの閉鎖端部に延設することができる。
【０００６】
別の態様では、本開示は、概して、複数の物品を収容するカートンを形成する方法に関する。本方法は、トップパネル、ボトムパネル、第１のサイドパネル及び第２のサイドパネルを有する複数のパネルと、複数のパネルのそれぞれのパネルにそれぞれに折り曲げ可能に取り付けられている少なくとも２つの端部フラップと、少なくとも２つの端部フラップのディスペンサー機能部とを備えるブランクを得ることを含む。本方法は、複数のパネルによって少なくとも部分的に画定される、カートンの内側を形成することを更に含むことができる。カートンの内側を形成することは、端部が開いたスリーブを形成することを含むことができる。本方法はまた、少なくとも２つの端部フラップを互いに対して少なくとも部分的に重ねて、カートンの閉鎖端部を少なくとも部分的に形成することを含むことができる。カートンの閉鎖端部を形成することは、ボトムパネルから延設する概ね垂直な部分を形成すること、及び、トップパネルから概ね垂直な部分まで延設する傾斜部分を形成することを含むことができる。本方法は、ディスペンサー機能部からカートンの閉鎖端部にディスペンサーを形成することを更に含むことができる。
【０００７】
当業者は、添付図面を参照して実施形態の以下の詳細な説明を読むことによって、上記の利点、並びに種々の更なる実施形態の他の利点及び利益を理解するであろう。
【０００８】
慣例によれば、以下で説明する図面の種々の特徴は、必ずしも一定の縮尺比で描かれているとは限らない。図面における種々の特徴及び要素の寸法は、本開示の実施形態をより明確に示すために拡大又は縮小されている場合がある。
【図面の簡単な説明】
【０００９】
【図１】本開示の例示的な一実施形態に係るカートンを形成するのに用いられるブランクの外側平面図である。
【図２】図１のブランクから形成されたカートンの側面図である。
【図３】図２のカートンの斜視図である。
【図４】本開示の例示的な実施形態に係る部分的に開いたディスペンサーを示す、図２のカートンの一端の斜視図である。
【図５】本開示の例示的な実施形態に係る、ディスペンサー開口と、取り外されたディスペンサーパネルとを示す、図２のカートンの側面図である。
【発明を実施するための形態】
【００１０】
対応する部分は、図面を通して対応する参照符号によって示されている。
【００１１】
本開示は、概して、複数の物品を収容するカートンと、カートンから物品を取り出すためのカートンのディスペンサーとに関する。本開示は、例えば、物品、又は、例えば食品及び飲料品若しくはペットフード等の他の製品を収容するカートンに用いることができる。これらの物品として、スープ缶、又は、例えば缶、ボトル、ＰＥＴ容器等の他の食品容器若しくは飲料容器、又は、食料品を包装する際に用いられる容器等の他の容器も挙げることができる。本開示の範囲を限定するためではなく例示のために、以下の詳細な説明では、カートンの実施形態に配置されるような概ね円筒形の飲料容器について記載する。本明細書において、「下側」、「ボトム」、「上側」及び「トップ」という相対語は、完全に組み立てられたカートンに関して定められる相対的な向きを示す。
【００１２】
図１は、全体として３で示されるブランクの外面１の平面図である。このブランクは、本開示の例示的な一実施形態に係るカートン５（図２及び図３）を形成するのに用いられる。カートン５は容器Ｃ（図２及び図５）等の複数の物品を収容するのに用いることができる。１つの実施形態では、図２及び図５に示されているような特徴寸法（例えば、直径Ｄ）を伴う円筒形の飲料缶（例えば、アルミニウム缶）を容器Ｃは含むことができる。図示の実施形態では、カートン５は、１８個の容器Ｃを単一層に３×６の配列で保持するようなサイズになっているが、カートン５は、異なる数量又は同じ数量の容器Ｃを２つ以上の層に及び／又は異なる行／列配列（例えば、１×１２、２×６、２×６×２、３×４×２等）で保持するようなサイズ及び形状にしてもよいことが理解される。図示の実施形態では、カートン５は、容器Ｃ、及び頂部からカートン５を把持及び運搬するのに用いるハンドル９へのアクセスを可能にするようにカートンに形成され、全体として７で示されているディスペンサーを有する。
【００１３】
ブランク３は縦方向軸Ｌ１及び横方向軸Ｌ２を有する。図示の実施形態では、ブランク３は、第１の縦方向折り線１５において第１のサイドパネル１３に折り曲げ可能に接続されているボトムパネル１１と、第２の縦方向折り線１９において第１のサイドパネル１３に折り曲げ可能に接続されているトップパネル１７と、第３の縦方向折り線２３においてトップパネル１７に折り曲げ可能に接続されている第２のサイドパネル２１とを備える。取り付け用フラップ２５が、第４の縦方向折り線２７において第２のサイドパネル２１に折り曲げ可能に接続されている。
【００１４】
１つの実施形態では、ボトムパネル１１は、第１のボトム端部フラップ３１及び第２のボトム端部フラップ３３に折り曲げ可能に接続されている。第１のサイドパネル１３は、第１の主端部フラップ３５ａ、第１の副端部フラップ３５ｂ、第２の主端部フラップ３７ａ及び第２の副端部フラップ３７ｂに折り曲げ可能に接続されている。トップパネル１７は、第１のトップ端部フラップ３９及び第２のトップ端部フラップ４１に折り曲げ可能に接続されている。第２のサイドパネル２１は、第１の主端部フラップ４３ａ、第１の副端部フラップ４３ｂ、第２の主端部フラップ４５ａ及び第２の副端部フラップ４５ｂに折り曲げ可能に接続されている。カートン５が組み立てられると、トップ端部フラップ３９及びボトム端部フラップ３１と、主端部フラップ３５ａ、４３ａと、副端部フラップ３５ｂ、４３ｂとが、カートンの第１の端部５１を閉鎖し、トップ端部フラップ４１及びボトム端部フラップ３３と、主端部フラップ３７ａ、４５ａと、副端部フラップ３７ｂ、４５ｂとが、カートンの第２の端部５３を閉鎖する。本開示の代替的な実施形態に従って、カートンの端部５１、５３を閉鎖するのに異なるフラップ構成を用いることができる。
【００１５】
図１に示されているように、端部フラップ３１、３５ａ、３５ｂ、３９、４３ａ、４３ｂは、ブランク３の第１の辺縁領域に沿って延在しており、ブランクの幅に沿って延びている第１の折り線５７に折り曲げ可能に接続されていることができる。トップ端部フラップ３９、ボトム端部フラップ３１及び副端部フラップ３５ｂ、４３ｂは、第１の折り線５７のそれぞれの横方向セグメント５８ａに沿ってそれぞれのパネル１７、１１、１３、２１に折り曲げ可能に接続されている。主端部フラップ３５ａ、４３ａは、第１の折り線５７のそれぞれの斜め方向セグメント５８ｂに沿ってそれぞれのサイドパネル１３、２１に折り曲げ可能に接続されている。端部フラップ３３、３７ａ、３７ｂ、４１、４５ａ、４５ｂは、ブランク３の第２の辺縁領域に沿って延在しており、同様にブランクの幅に沿って延びている第２の折り線５９において折り曲げ可能に接続されていることができる。トップ端部フラップ４１、ボトム端部フラップ３３及び副端部フラップ３７ｂ、４５ｂは、第２の折り線５９のそれぞれの横方向セグメント６０ａに沿ってそれぞれのパネル１７、１１、１３、２１に折り曲げ可能に接続されている。主端部フラップ３７ａ、４５ａは、第２の折り線５９のそれぞれの斜め方向セグメント６０ｂに沿ってそれぞれのサイドパネル１３、２１に折り曲げ可能に接続されている。１つの実施形態では、斜め方向セグメント５８ｂ、６０ｂは、約３０度の角度Ａで延びている。代替的に、角度Ａは任意の適した角度とすることができる。側方折り線５７、５９は例えば、略直線であってもよく、ブランクの厚さ又は他の要因のために１つ又は複数の箇所においてずれていてもよい。ブランク３は、本開示から逸脱することなく他の端部フラップ構成を有することができる。
【００１６】
図１に示されているように、ボトム端部フラップ３１は、横方向引き裂き線６５に沿って遠位部分６３に折り曲げ可能に接続されている近位部分６１を有し、トップ端部フラップ４１は、横方向折り線７１に沿って遠位部分６９に折り曲げ可能に接続されている近位部分６７を有する。図２に示されているように、トップ端部フラップ３９と、主端部フラップ３５ａ、４３ａと、ボトム端部フラップ３１の遠位部分６３とが、第１の端部５１の傾斜部分７３ａを形成し、副端部フラップ３５ｂ、４３ｂと、ボトム端部フラップ３１の近位部分６１とが、第１の端部５１の下側部分７３ａを形成する。ボトム端部フラップ３３と、主端部フラップ３７ａ、４５ａと、トップ端部フラップ４１の遠位部分６９とが、第２の端部５３の傾斜部分７５ａを形成し、副端部フラップ３７ｂ、４５ｂと、トップ端部フラップ４１の近位部分６７とが、第２の端部５３の上側部分７５ｂを形成する（図２）。カートンの端部フラップ３１、３３、３５ａ、３５ｂ、３７ａ、３７ｂ、３９、４１、４３ａ、４３ｂ、４５ａ、４５ｂ及び閉鎖端部５１、５３は、本開示から逸脱することなく、別様の形状、構成、形態にすることができ、及び／又は省略することができる。例えば、図示の実施形態では、横方向引き裂き線６５は、以下で説明されるディスペンサー７の一部であるが、線６５は代替的には、本開示から逸脱することなく、スコア線、折り目線又は別の折り線とすることができる。
【００１７】
図示の実施形態では、ディスペンサー７（図３に示されている）は、全体として７９で示されている引き裂き線においてカートン５に取外し可能に取り付けられている、全体として７７で示されているディスペンサーパネルを有する。ディスペンサーパネル７７がカートン５から取り外されると、容器をカートンから選択的に小出しすることを可能にするディスペンサー開口８１（図４及び図５）が露出する。図１に示されているように、ディスペンサーパネル７７は、第１のトップ端部フラップ３９の遠位部分における第１のディスペンサー部分８３と、第１のサイドパネル１３及び主端部フラップ３５ａに延在する第２のディスペンサー部分８５と、第２のサイドパネル２１及び主端部フラップ４３ａに延在する第３のディスペンサー部分８７とを有する。ボトム端部フラップ３１の遠位部分６３は、第１のボトム端部フラップ３１に第４のディスペンサー部分８９を形成する。ディスペンサー部分８３、８５、８７、８９は、少なくとも部分的に重なってディスペンサーパネル７７を形成する（図３から図５）。第１のディスペンサー部分８３は、第１のトップ端部フラップ３９における、引き裂き線７９の第１の引き裂き線セグメント９１によって画定され、第２のディスペンサー部分８５は、第１のサイドパネル１３及び主端部フラップ３５ａにおける、引き裂き線７９の第２の引き裂き線セグメント９３によって画定され、第３のディスペンサー部分８７は、第２のサイドパネル２１及び主端部フラップ４３ａにおける、引き裂き線７９の第３の引き裂き線セグメント９５によって画定されている。図示の実施形態では、第４のディスペンサー部分８９は、第１のボトム端部フラップ３１の遠位部分６３を近位部分６１とつなぐ引き裂き線６５によって画定されている。したがって、引き裂き線６５は、引き裂き線７９の第４の引き裂き線セグメントを形成する。
【００１８】
図１に示されているように、第１の引き裂き線セグメント９１は、アクセスフラップ９７を更に画定しており、このアクセスフラップ９７は、横方向折り線９９に沿って第１のディスペンサー部分８３に折り曲げ可能に接続されている。主端部フラップ３５ａ、４３ａに切抜き部１０１も形成することができ、そのため、第１のトップ端部フラップ３９がカートン５の閉鎖端部５１における主端部フラップ３５ａ、４３ａに重なると切抜き部１０１がアクセスフラップ９７と位置合わせすることができる。したがって、ディスペンサー７を開くために引き裂き線７９を引き裂き始める際に、切抜き部１０１により、アクセスフラップが内方に折り曲げられる空隙をもたらすことができる。ディスペンサーパネル７７、引き裂き線７９及びアクセスフラップ９７は、本開示から逸脱することなく、別様の形状、構成又は形態にすることができる。さらに、ディスペンサー７は、本開示から逸脱することなく、省略することができるか、或いは、別様の形状、構成及び／又は形態にすることができる。
【００１９】
図示の実施形態では、ハンドル９はトップパネル１７に延在している。ハンドル９は、任意の適したタイプのハンドル、従来のハンドル又は別様のハンドルとすることができる。図示の実施形態では、ハンドル９は、トップパネル１７に形成される細長いハンドルフラップ１０３と、トップパネル並びに第１のサイドパネル１３及び第２のサイドパネル２１における菱形状の折り目１０５とを有する。ハンドルフラップ１０３は、横方向折り線１０７においてトップパネル１７に折り曲げ可能に取り付けられており、切れ目又は引き裂き線１０９によって画定されている。横方向折り線１１１は、ハンドル９の有効化を容易にするために、ハンドルフラップ１０３及び菱形状折り目１０５を２等分しており、トップパネル１７を横断して双方のサイドパネル１３、２１内に延びている。ハンドル９は、ハンドルフラップ１０３を押して下に（例えば内方に）折り曲げることによって有効化してカートン５内に開口（不図示）を形成することができる。開口は、カートン５を把持する際に使用者の指を差し込む形状になっている。ハンドル９は、ハンドルフラップ１０３が、トップパネル１７において、ブランク３の側方折り線５７と側方折り線５９との間で概ね中央に配置されるように、縦方向に間隔を置かれている。ハンドル９は、本開示の範囲から逸脱することなく、別様の形状、構成、形態及び／又は位置付けにすることができることが理解される。さらに、ハンドル９は、本開示の範囲から逸脱することなく省略することができる。
【００２０】
例示的な実施形態に従って、ブランク３を、折り線１５、１９、２３、２７に沿って折り曲げ、接着用フラップ２５をボトムパネル１１に接着することで、端部の開いたスリーブ（不図示）を形成することによって組み立ててカートン５にすることができる。一方の端部において端部フラップ３１、３５ａ、３５ｂ、３９、４３ａ、４３ｂをそれぞれに重ねて接着するとともに、他方の端部において端部フラップ３３、３７ａ、３７ｂ、４１、４５ａ、４５ｂをそれぞれに重ねて接着することによって、カートン５の端部５１、５３を閉鎖することができる。
【００２１】
１つの実施形態では、主端部フラップ３７ａ、４５ａを折り線５９の斜め方向セグメント６０ｂに沿って折り曲げるとともに副端部フラップ３７ｂ、４５ｂを折り線５９の横方向セグメント６０ａに沿って折り曲げてスリーブの端部を覆うことによって、第２の端部５３を先に閉鎖することができる。近位部分６７が副端部フラップ３７ｂ、４５ｂに重なるとともに遠位部分６９が主端部フラップ３７ａ、４５ａに重なるように折り線５９に沿ってトップ端部フラップ４１が下方に折り曲げられる。トップ端部フラップ４１を、副端部フラップ３７ｂ、４５ｂ又は主端部フラップ３７ａ、４５ａのいずれか又は全てに糊付けすることができる。ボトム端部フラップ３３を、折り線５９に沿って上方に折り曲げて主端部フラップ３７ａ、４５ａに重ねることができ、主端部フラップ３７ａ、４５ａの一方又は双方に糊付けすることができる。したがって、トップ端部フラップ４１の近位部分６７と、副端部フラップ３７ｂ、４５ｂとが、トップパネル１７から延設する閉鎖端部５３の上側部分７５ｂを形成し、トップ端部フラップ４１の遠位部分６９と、主端部フラップ３７ａ、４５ａと、ボトム端部フラップ３３とが、ボトムパネル１１から上側部分７５ｂまで延設する閉鎖端部５３の傾斜部分７５ａを形成する。図２に示されているように、上側部分７５ｂは、概ね垂直な（例えば、トップパネル１７に対して概ね垂直な）方向に延設し、傾斜部分７５ａは、上側部分７５ｂに対して或る角度（例えば、約３０度の角度又は任意の他の適した角度）で延設する。
【００２２】
第２の端部５３を閉鎖した後、容器Ｃをスリーブ（例えば、図２に示されているように）に挿入することができ、第１の端部５１を閉鎖することができる。したがって、主端部フラップ３５ａ、４３ａを折り線５７の斜め方向セグメント５８ｂに沿って折り曲げることができ、副端部フラップ３５ｂ、４３ｂを折り線５７の横方向セグメント５８ａに沿って折り曲げてスリーブの端部を覆うことができる。ボトム端部フラップ３１を、近位部分６１が副端部フラップ３５ｂ、４３ｂに重なるとともに遠位部分６３が主端部フラップ３５ａ、４３ａに重なるように折り線５７に沿って上方に折り曲げることができる。ボトム端部フラップ３１を、副端部フラップ３５ｂ、４３ｂ又は主端部フラップ３５ａ、４３ａのうちのいずれか又は全てに糊付けすることができる。トップ端部フラップ３９を、折り線５７に沿って下方に折り曲げて主端部フラップ３５ａ、４３ａに重ね、トップ端部フラップ３９を、主端部フラップ３５ａ、４３ａの一方又は双方に糊付けすることができる。したがって、ボトム端部フラップ３１の近位部分６１と、副端部フラップ３５ｂ、４３ｂとが、ボトムパネル１１から延設する閉鎖端部５１の下側部分７３ｂを形成し、ボトム端部フラップ３１の遠位部分６３と、主端部フラップ３５ａ、４３ａと、トップ端部フラップ３９とが、トップパネル１７から下側部分７３ｂまで延設する閉鎖端部５１の傾斜部分７３ａを形成する。図２に示されているように、下側部分７３ｂは、概ね垂直な（例えば、ボトムパネル１１に対して概ね垂直な）方向に延設し、傾斜部分７３ａは、下側部分７３ｂに対して或る角度（例えば、約３０度の角度又は任意の他の適した角度）で延設する。１つの実施形態では、ボトム端部フラップ３１の近位部分６１を副端部フラップ３５ｂ、４３ｂと重ねて副端部フラップ３５ｂ、４３ｂに糊付けすることで下側部分７３ｂを形成することができ、その一方、主端部フラップ３５ａ、４３ａと、トップ端部フラップ３９と、ボトム端部フラップ３１の遠位部分６３とが、第１の端部におけるスリーブの開口の一部が開いたままであるように端部５１から折り取られる。容器Ｃは、下側部分７３ｂの上の開口を通してスリーブに挿入することができる。したがって、容器Ｃを詰める際、下側部分７３ｂは、下の行に容器を保持するのに役立つ。
【００２３】
閉鎖端部５１、５３は、本開示から逸脱することなく、省略することができるか、又は、別様の形状、構成及び／又は形態にすることができる。例えば、傾斜部分７３ａ、７５ａ、下側部分７３ｂ及び上側部分７５ｂは、任意の適した角度で延設することができ、及び／又は任意の適したサイズにすることができる。図示の実施形態では、トップ端部フラップ３９、４１の側方に延在する自由縁は、端部５１、５３が閉鎖すると、それぞれのボトム端部フラップ３１、３３の側方に延在する自由縁に隣接して位置することができ、及び／又は、それぞれのボトム端部フラップ３１、３３の側方に延在する自由縁に当接することができる。代替的には、トップ端部フラップ３９、４１とボトム端部フラップ３１、３３とが、互いに重なることができ、及び／又は互いに糊付けすることができる。本明細書において論じられている閉鎖形態とは異なる閉鎖形態が、本開示の範囲内にあることが理解される。さらに、容器Ｃは、カートン５に代替的に詰めることができる。例えば、容器Ｃは、カートン５の端部５１、５３いずれかの任意の部分を閉鎖する前に詰めることも閉鎖した後に詰めることもできる。
【００２４】
図２に示されているように、容器Ｃ（仮想線で図示）は、上の２行にある容器Ｃが下の行からそれぞれ第２の端部５３側へ容器Ｃの特徴寸法（例えば、直径Ｄ）の約半分だけ概ねずれるように６個ずつ重なった３行で配置されている。第２の端部５３に隣接する容器Ｃは、閉鎖した第２の端部５３の少なくとも傾斜部分７５ａによって支持及び／又は保持される（例えば、第２の端部５３に隣接する容器は、主端部フラップ３７ａ、４５ａの一方又は双方に当接することができる）。第２の端部５３とトップパネル１７とに隣接する容器Ｃが、上側部分７５ｂと接触することができる。さらに、第１の端部５１とボトムパネル１１とに隣接する容器Ｃを、下側部分７３ｂによって保持及び／又は支持することができる（例えば、第１の端部５１とボトムパネル１１とに隣接する容器が、副端部フラップ３５ｂ、４３ｂと接触することができる）。第１の端部５１に隣接する容器Ｃは、傾斜部分７３ａと接触することができる。したがって、第２の端部５３の傾斜部分７５ａは、容器Ｃがディスペンサー７を通して取り出される際に容器を第１の端部５１側へ付勢するのに役立つことができ、その一方、第１の端部５１の下側部分７３ｂは、容器Ｃがカートン５から望ましくなく転がり落ちることを防止するのに役立つことができる。換言すれば、容器Ｃは、第１の端部５１側へ傾いている面（第２の端部５３の傾斜部分７５ａ）によって少なくとも部分的に支持される。
【００２５】
図示の実施形態では、ディスペンサー７を開いて、開口８１を通して容器Ｃへのアクセスを提供することができる（図４及び図５）。例えば、トップ端部フラップ３９におけるアクセスフラップ９７を内方に押し、引き裂き線セグメント９１に沿って引き裂き、主端部フラップ３５ａ、４３ａにおける切抜き部１０１の中へ折り線９９に沿って折り曲げることができる。次に、ディスペンサーパネル７７を外方に引き剥がすために、指により、アクセスフラップ９７によって形成されている開口を通してディスペンサーパネル７７の内側を把持することができる。ディスペンサーパネル７７を引き剥がすことにより、トップ端部フラップ３９における第１の引き裂き線セグメント９１と、それぞれの主端部フラップ３５ａ、４３ａにおける第２の引き裂き線セグメント９３及び第３の引き裂き線セグメント９５とが重なった部分に沿って、引き裂き線７９を引き裂くことができる。ディスペンサー部分８３、８５、８７、８９が引き裂き線６５（図４）に沿って枢動して端部５１から離れる際、第２の引き裂き線セグメント９３及び第３の引き裂き線セグメント９５をそれぞれのサイドパネル１３、２１において更に引き裂くことができる。１つの実施形態では、ディスペンサーパネル７７は、引き裂き線６５に沿ってカートン５の端部５１に折り曲げ可能に取り付けられたままにすることができる（図４）。代替的には、ディスペンサーパネル７７は、引き裂き線６５に沿って引き裂くことによって完全に切り離すことができる（図５）。ディスペンサー７は、本開示の範囲から逸脱することなく代替的に開くことができる。
【００２６】
図５に示されているように、下側部分７３ｂの高さＨは概ね、容器Ｃの直径Ｄよりも低く、直径Ｄの半分よりも高い。したがって、第１の端部５１に隣接する下の行の容器Ｃは、ディスペンサー７を通してアクセス可能であり、第１の端部５１の下側部分７３ｂは、下の行の容器Ｃを保持することができる。図５に示されているように、容器Ｃの、ボトムパネル１１と下側部分７３ｂとに隣接する端、及び、その容器Ｃの真上の容器Ｃの端は、少なくとも、開口８１の、サイドパネル１３、２１内に延びる部分からアクセス可能である。使用者は、開口８１を通して容器Ｃのうちの１つの容器の両端を容易に把持し、その容器をカートン５から取り出すことができる。第２の端部５３の傾斜部分７５ａが、容器Ｃを第１の端部５１側へ付勢するのに役立つことができ、したがって、トップパネル１７により近い、すなわち、第１の端部５１からより離れている容器Ｃが、取り出された容器Ｃが前に占めていた場所に移動する傾向がある。使用者は、所望に応じて開口８１を通してこのやり方で容器Ｃを取り出し続けることができる。下側部分７３ｂは、ボトムパネル１１と下側部分７３ｂとに隣接する容器Ｃがカートン５から転がり落ちることを抑止又は阻止するのに役立つことができ、この容器は、残りの容器Ｃをカートン５内に保持することに役立つ。容器Ｃは図２に示されているように重なっているため、下側部分７３ｂに隣接する１つの容器が、ディスペンサー７が開いても残りの容器Ｃを全てカートン５内に保持することに役立つことができる。
【００２７】
カートン５は、トップパネル１７におけるハンドル９を把持することによって運搬することができる。カートン５は、本開示から逸脱することなく他のステップ又は方法によって運搬することができる。
【００２８】
本開示は、物品への容易なアクセスを提供する更なる開口機能部、及び、カートンの前端部又は後端部において物品を位置決めする傾斜機能部を備える、様々な機能部を有するカートンにおいて用いることができる。
【００２９】
本開示によるブランクは、例えば、コート紙の厚紙及び同様の材料から形成することができる。例えば、ブランクの内面及び／又は外面をクレーコートでコーティングすることができる。次に、クレーコート上に製品、広告、価格コード、及び他の情報又は画像を印刷してもよい。次に、ブランクに印刷されているあらゆる情報を保護するように、ブランクをワニスでコーティングすることができる。ブランクの片面又は両面を、例えば防湿層でコーティングすることもできる。上述の実施形態に応じて、ブランクは、通常の紙よりも重く硬質であるような厚さの厚紙で作成してもよい。ブランクは、ボール紙、硬化紙等の他の材料、又はカートンが少なくとも概して本明細書で記載したように機能することができるようにするのに適した特性を有する任意の他の材料で作成することもできる。ブランクは、選択されたパネル又はパネルセクションに１つ又は複数のシート状材料を積層又はコーティングすることもできる。
【００３０】
本開示の上述の実施形態によれば、折り線は、それに沿った折り曲げを容易にする、必ずしも直線状ではないが実質的に線状の任意の弱化形態とすることができる。本開示の範囲を狭めるためではないが、より詳細には、折り線は、所望の弱化線に沿って材料に圧潰部分を作る鈍いスコアリングナイフ等で形成される線等のスコア線、所望の弱化線に沿って材料に部分的に入れ込んだ切れ目、及び／又は所望の弱化線に沿って材料を部分的に貫通する一連の切れ目及び／又は材料を完全に貫通する一連の切れ目、並びにこれらの機能部の種々の組合せを含む。折り線を形成するのに切れ目付けが用いられる状況では、通常、切れ目付けは、分別ある使用者が折り線を誤って引き裂き線又は他の破断線とみなす可能性があるほど過度には深くない。
【００３１】
一例として、引き裂き線は、所望の弱化線に沿って材料に部分的に入れ込んだスリット、及び／又は所望の弱化線に沿って材料に部分的に入れ込むか、及び／又は完全に貫通する一連の離間したスリット、又はこれらの機能部の種々の組合せを含むことができる。より具体的な例としては、１つのタイプの引き裂き線は、引き裂き線を挟んで材料を通常は一時的に連結するようニック（例えば、ブリッジにやや似た材料の小片）が間に画成されるように隣接するスリットを僅かに離間させた、材料を完全に貫通する一連の離間したスリットの形態である。ニックは、引き裂き時に引き裂き線に沿って破断される。ニックは通常、引き裂き線において比較的僅かな割合を占めるものであり、代替的に、引き裂き線が連続した切れ目線であるように、ニックを引き裂き線から省くことができるか、又は引き裂き線上で破っておくことができる。すなわち、引き裂き線のそれぞれを連続したスリット等で置き換えることは、本開示の範囲内にある。例えば、本開示から逸脱することなく、切れ目線は、連続したスリットとすることができるか、又はスリットよりも幅広とすることができる。
【００３２】
上記実施形態は、カートンの実施形態を組み立てる間に糊によってともに接着される１つ又は複数のパネルを有するものとして説明することができる。「糊」という用語は、カートンパネルを適所に固定するのに一般的に用いられる全ての態様の接着剤を包含することが意図される。
【００３３】
本開示の前述の説明は、本開示の種々の実施形態を例示及び説明する。本開示の範囲から逸脱することなく、種々の変更を上記構成内でなし得るので、上記説明に含まれるか又は添付図面に示されている全ての事項が、限定的な意味ではなく例示として解釈されることが意図される。さらに、本開示の範囲は、特許請求の範囲の範囲内にある上述の実施形態の種々の変更形態、組合せ、変形形態等をカバーする。加えて、本開示は、本開示の選択された実施形態のみを図示及び説明しているが、本開示は、種々の他の組合せ、変更形態、及び環境で用いることが可能であり、本明細書で述べられているような発明概念の範囲内の変形若しくは変更、上記教示と同等の変形若しくは変更、及び／又は関連技術分野の技術若しくは知識内にある変形若しくは変更を行うことが可能である。さらに、本開示の範囲から逸脱することなく、各実施形態の或る特定の機能部及び特徴を、選択的に入れ替えて、本開示の他の説明された実施形態及び説明されていない実施形態に適用することができる。
【図１】
2015524373.tif 000003
【図２】
2015524373.tif 000004
【図３】
2015524373.tif 000005
【図４】
2015524373.tif 000006
【図５】
2015524373.tif 000007
【国際調査報告】
2015524373.tif 000008
2015524373.tif 000009
2015524373.tif 000010